(57)【要約】【課題】文字校正や体裁校正だけでなく色校正についても校正作業を正確かつ効率的に行うことを可能とする校正システムを提供する。【解決手段】校正管理サーバ３は、４色原稿データ３２を３色原稿データ３３に変換し、パターンデータ３４と３色原稿データ３３とを合成してパターン合成原稿データ３５を作成し、４色原稿データ３２とパターン合成原稿データ３５とを対応テーブル３９によって対応付けて記憶部５に保持する。校正端末装置１１は、パターン合成原稿データ３５及び４色原稿データ３２に基づいて、出力装置１３から紙媒体のパターン合成原稿４１及び紙媒体の４色原稿４２を出力する。顧客側の校正者２０は、４色原稿４２を参照して色確認を行い、校正端末装置１１に付属の光学読取ペン１５を用いてパターン合成原稿４１に色校正に関する校正指示３６を書き込む。【選択図】図１
2008258951.tif 000002
【特許請求の範囲】
【請求項１】
原稿データの校正処理を行う校正システムであって、
前記原稿データをＲＩＰ処理して第１複数色の第１原稿データを作成するＲＩＰ装置と、
前記第１複数色の第１原稿データを前記第１複数色と異なる第２複数色の第２原稿データに色変換する色変換手段と、
前記第２原稿データに位置情報を含むパターンデータを合成してパターン合成原稿データを作成するパターンデータ合成手段と、
前記第１原稿データと前記パターン合成原稿データとを対応付けて保持する記憶手段と、
前記原稿データまたは前記第１原稿データを色の確認用に出力し、前記パターン合成原稿データを校正指示の記入用に出力する出力装置と、
前記パターン合成原稿データの出力物に記入された校正指示に関する情報である校正指示データを読み取る読取ペンと、
を具備することを特徴とする校正システム。
【請求項２】
原稿データの校正処理を行う校正システムであって、
前記原稿データをＲＩＰ処理して第１複数色の第１原稿データを作成するＲＩＰ装置と、
前記第１複数色の第１原稿データを前記第１複数色と異なる第２複数色の第２原稿データに色変換する色変換手段と、
前記第２原稿データに位置情報を含むパターンデータを合成してパターン合成原稿データを作成するパターンデータ合成手段と、
前記第１原稿データと前記パターン合成原稿データとを対応付けて保持する記憶手段と、
前記原稿データまたは前記第１原稿データを色の確認用に表示する表示装置と、
前記パターン合成原稿データを校正指示の記入用に出力する出力装置と、
前記パターン合成原稿データの出力物に記入された校正指示に関する情報である校正指示データを読み取る読取ペンと、
を具備することを特徴とする校正システム。
【請求項３】
前記パターン合成原稿データの出力物には、前記色に関する校正指示が記入されることを特徴とする請求項１または請求項２に記載の校正システム。
【請求項４】
前記読取ペンは、前記校正指示データと共に前記パターン合成原稿データが含む前記位置情報を読み取り、
前記校正指示データに対応する前記位置情報に基づいて、１つまたは複数の前記校正指示データを集約して前記原稿データまたは前記第１原稿データまたは前記第２原稿データと合成して校正指示合成原稿データを作成する校正指示データ合成手段と、
を具備することを特徴とする請求項１から請求項３までのいずれかに記載の校正システム。
【請求項５】
前記パターンデータは、前記原稿データのページ識別情報を含み、
前記読取ペンは、前記校正指示データと共に前記パターン合成原稿データが含む前記ページ識別情報を読み取ることを特徴とする請求項１から請求項４までのいずれかに記載の校正システム。
【請求項６】
所定期間経過後に、前記第１原稿データを出力する出力装置または前記第１原稿データを表示する表示装置の色較正を警告する警告手段を具備することを特徴とする請求項１から請求項５までのいずれかに記載の校正システム。
【請求項７】
前記校正システムは、前記校正処理を管理する校正管理サーバと１つまたは複数の校正端末装置とが接続されて構成され、
前記ＲＩＰ装置、前記色変換手段、前記パターンデータ合成手段、前記記憶手段は、それぞれ、前記校正管理サーバ側または前記校正端末装置側に設けられることを特徴とする請求項１から請求項６までのいずれかに記載の校正システム。
【請求項８】
前記第２複数色は、前記パターンデータの色を含まないことを特徴とする請求項１から請求項７までのいずれかに記載の校正システム。
【請求項９】
前記第１複数色は、シアン（Ｃ）及びマゼンタ（Ｍ）及びイエロー（Ｙ）及びブラック（Ｋ）の４色であり、前記第２複数色は、シアン（Ｃ）及びマゼンタ（Ｍ）及びイエロー（Ｙ）の３色であり、前記パターンデータの色は、ブラック（Ｋ）であることを特徴とする請求項１から請求項８までのいずれかに記載の校正システム。
【請求項１０】
原稿データの校正処理を行う校正方法であって、
前記原稿データをＲＩＰ処理して第１複数色の第１原稿データを作成するＲＩＰ処理ステップと、
前記第１複数色の第１原稿データを前記第１複数色と異なる第２複数色の第２原稿データに色変換する色変換ステップと、
前記第２原稿データに位置情報を含むパターンデータを合成してパターン合成原稿データを作成するパターンデータ合成ステップと、
前記第１原稿データと前記パターン合成原稿データとを対応付けて保持する記憶ステップと、
前記原稿データまたは前記第１原稿データを色の確認用に出力し、前記パターン合成原稿データを校正指示の記入用に出力する出力ステップと、
前記パターン合成原稿データの出力物に記入された校正指示に関する情報である校正指示データを読み取る読取ステップと、
を具備することを特徴とする校正方法。
【請求項１１】
原稿データの校正処理を行う校正方法であって、
前記原稿データをＲＩＰ処理して第１複数色の第１原稿データを作成するＲＩＰ処理ステップと、
前記第１複数色の第１原稿データを前記第１複数色と異なる第２複数色の第２原稿データに色変換する色変換ステップと、
前記第２原稿データに位置情報を含むパターンデータを合成してパターン合成原稿データを作成するパターンデータ合成ステップと、
前記第１原稿データと前記パターン合成原稿データとを対応付けて保持する記憶ステップと、
前記原稿データまたは前記第１原稿データを色の確認用に表示する表示ステップと、
前記パターン合成原稿データを校正指示の記入用に出力する出力ステップと、
前記パターン合成原稿データの出力物に記入された校正指示に関する情報である校正指示データを読み取る読取ステップと、
を具備することを特徴とする校正方法。
【請求項１２】
コンピュータを請求項１から請求項９までのいずれかに記載の校正システムとして機能させるプログラム。
【請求項１３】
コンピュータを請求項１から請求項９までのいずれかに記載の校正システムとして機能させるプログラムを記録したコンピュータ読取可能な記録媒体。
【発明の詳細な説明】
【技術分野】
【０００１】
本発明は、原稿データの校正を行う校正システムに関する。詳細には、文字校正及び体裁校正に加えて色校正を行う校正システムに関する。
【背景技術】
【０００２】
一般に、出版物や広告等を扱う印刷業界では、印刷会社と出版社や広告会社等の顧客（クライアント）との間で原稿の印刷見本を校正する作業が繰り返し行われる。この校正作業が終了すると印刷会社によって最終的な印刷物が印刷される。校正作業では、印刷会社は原稿の印刷見本を作成し、顧客は原稿の印刷見本に校正指示を記入する（赤入れする）。印刷会社は校正指示に従って原稿に修正を加える。
【０００３】
校正指示の方法としては、原稿データをディスプレイ上に表示してページ記述言語（ＰＤＬ：ｐａｇｅ  ｄｅｓｃｒｉｐｔｉｏｎ  ｌａｎｇｕａｇｅ）によって校正指示を原稿データに付与する方法や、原稿データを紙媒体に印刷出力して校正指示を記入する（赤入れする）方法がある。
ディスプレイ上での校正方法は、マウスやキーボードを使用して校正指示を入力するために技術や経験が必要である。また、ページ記述言語は全ての校正記号を網羅していない。
紙媒体での校正方法は、校正指示記入済みの紙原稿を原稿データに戻す処理が必要である。従って、校正指示記入済みの紙原稿を印刷会社に郵送して、印刷会社側で電子化したり、校正指示記入済みの紙原稿をスキャンして電子化したり、校正指示記入済みの紙原稿を参照しながら、改めて元の原稿データにページ記述言語によって校正指示を付与する必要がある。いずれにせよ、校正指示を電子校正原稿に転記する処理が必要である。また、転記処理時に転記漏れや転記ミスが生じる可能性があり作業時間も増大する。
【０００４】
近年、ページ記述言語やネットワークシステム等の発達により、リモートプルーフと呼ばれる遠隔地にいながら校正を行う遠隔校正システムも開発されている。
遠隔校正システムでは、印刷会社がページ記述言語で記述された原稿データをネットワークを介して顧客に送信し、顧客がこの原稿データに校正指示を付与して印刷会社に返信する。
【０００５】
また、顧客側では原稿データを紙媒体に印刷出力してタブレット上に置いて専用ペンで校正指示を記入し、印刷会社側では校正指示データと元の原稿データとを合成する遠隔校正システムが提案されている（例えば、［特許文献１］参照。）。
【０００６】
【特許文献１】特開２００４−２３５９７５号公報
【発明の開示】
【発明が解決しようとする課題】
【０００７】
しかしながら、［特許文献１］が示す技術は、紙媒体の校正原稿をタブレット上に置いて専用ペンで校正指示を記入するので、位置ずれが生じる可能性があるという問題点がある。また、印刷会社側から各ページデータの識別情報を別途送信させ、顧客側でこれらの識別情報を各ページデータに重畳して印刷してページデータの識別を行う必要があり、原稿データが多数のページデータを含む場合には、処理が煩雑になるという問題点がある。
【０００８】
また、デジタルペンを用いた遠隔校正システムを構成することもできる。デジタルペンは、ページ上の位置データを符号化した用紙に、デジタルペンで記述した記述情報を読み取ってデジタルデータに変換する光学読取ペンである。
例えば、サーバと少なくとも１つのクライアント端末とを接続してデジタルペン校正システムを構成し、サーバ側でページ上の位置データを符号化したパターンデータと原稿データとを合成して位置情報付校正原稿データを作成し、クライアント側で位置情報付校正原稿データを印刷し、この位置情報付校正原稿データの出力物にデジタルペンによって校正指示を加え、この校正指示情報をデジタルデータとしてサーバ側に送信して原稿データと合成する。
【０００９】
一般に校正指示の種類としては、文字校正や体裁校正に加えて色校正が挙げられる。上記デジタルペン校正システムにおいて、デジタルペンにより校正指示データを付与及び取得する場合、位置データと原稿データとを区別するために、原稿データを色変換する必要がある。
例えば、「Ｋ色」による位置データを用いる場合、「ＣＭＹＫ４色」から「ＣＭＹ３色」による原稿データに色変換する必要がある。校正指示記入用の原稿データは、実際の印刷時に用いられる「ＣＭＹＫ４色」ではなく「ＣＭＹ３色」で色再現される。校正指示記入用の原稿データには、「Ｋ色」による位置データが合成処理されて視認性が悪化する。上記の理由により、色変換された校正指示記入用の原稿データを文字校正や体裁校正に利用することは可能であるが、色校正に用いることは困難であるという問題点がある。
【００１０】
本発明は、以上の問題点に鑑みてなされたものであり、文字校正や体裁校正だけでなく色校正についても校正作業を正確かつ効率的に行うことを可能とする校正システムを提供することを目的とする。
【課題を解決するための手段】
【００１１】
前述した目的を達成するために第１の発明は、原稿データの校正処理を行う校正システムであって、前記原稿データをＲＩＰ処理して第１複数色の第１原稿データを作成するＲＩＰ装置と、前記第１複数色の第１原稿データを前記第１複数色と異なる第２複数色の第２原稿データに色変換する色変換手段と、前記第２原稿データに位置情報を含むパターンデータを合成してパターン合成原稿データを作成するパターンデータ合成手段と、前記第１原稿データと前記パターン合成原稿データとを対応付けて保持する記憶手段と、前記原稿データまたは前記第１原稿データを色の確認用に出力し、前記パターン合成原稿データを校正指示の記入用に出力する出力装置と、前記パターン合成原稿データの出力物に記入された校正指示に関する情報である校正指示データを読み取る読取ペンと、を具備することを特徴とする校正システムである。
【００１２】
第１の発明では、校正システムは、原稿データをＲＩＰ処理して第１複数色の第１原稿データを作成し、第１複数色の第１原稿データを第１複数色と異なる第２複数色の第２原稿データに色変換し、第２原稿データに位置情報を含むパターンデータを合成してパターン合成原稿データを作成し、第１原稿データとパターン合成原稿データとを対応付けて保持する。校正システムは、第１原稿データを色の確認用に出力し、パターン合成原稿データを校正指示の記入用に出力する。校正者は、原稿データあるいは第１原稿データの出力物を参照して色の確認を行い、光学読取ペン等を用いて、パターン合成原稿データの出力物に色校正に関する校正指示を記入する。上記光学読取ペンは、パターン合成原稿データの出力物に記入された校正指示に関する校正指示データを読み取る。
【００１３】
第２の発明は、原稿データの校正処理を行う校正システムであって、前記原稿データをＲＩＰ処理して第１複数色の第１原稿データを作成するＲＩＰ装置と、前記第１複数色の第１原稿データを前記第１複数色と異なる第２複数色の第２原稿データに色変換する色変換手段と、前記第２原稿データに位置情報を含むパターンデータを合成してパターン合成原稿データを作成するパターンデータ合成手段と、前記第１原稿データと前記パターン合成原稿データとを対応付けて保持する記憶手段と、前記原稿データまたは前記第１原稿データを色の確認用に表示する表示装置と、前記パターン合成原稿データを校正指示の記入用に出力する出力装置と、前記パターン合成原稿データの出力物に記入された校正指示に関する情報である校正指示データを読み取る読取ペンと、を具備することを特徴とする校正システムである。
【００１４】
第２の発明では、校正システムは、原稿データをＲＩＰ処理して第１複数色の第１原稿データを作成し、第１複数色の第１原稿データを第１複数色と異なる第２複数色の第２原稿データに色変換し、第２原稿データに位置情報を含むパターンデータを合成してパターン合成原稿データを作成し、第１原稿データとパターン合成原稿データとを対応付けて保持する。校正システムは、原稿データあるいは第１原稿データを色の確認用にモニタ等の表示装置に表示し、パターン合成原稿データを校正指示の記入用に出力する。校正者は、第１原稿データの表示を参照して色の確認を行い、光学読取ペン等を用いて、パターン合成原稿データの出力物に色校正に関する校正指示を記入する。上記光学読取ペンは、パターン合成原稿データの出力物に記入された校正指示に関する校正指示データを読み取る。
【００１５】
第１の発明では、校正者は、ＲＩＰ装置を通さない原稿データあるいはＲＩＰ処理した第１原稿データを出力装置から出力して色確認を行い、パターン合成原稿データの出力物に色校正に関する校正指示を記入する。一方、第２の発明では、校正者は、ＲＩＰ装置を通さない原稿データあるいはＲＩＰ処理した第１原稿データを表示装置に表示して色確認を行い、パターン合成原稿データの出力物に色校正に関する校正指示を記入する。ＲＩＰ装置を通さない原稿データとは、例えば、４色のページ記述言語データである。ＲＩＰ処理した第１原稿データとは、例えば、４色のラスタデータである。
第１の発明及び第２の発明では、光学読取ペン等を用いた校正システムにおいて、文字校正や体裁校正だけでなく、原稿の色彩が忠実に再現される原稿データの出力物や表示画像に基づいて正確に色確認を行って色校正を行うことができる。
【００１６】
また、校正システムは、読取ペンによって校正指示データと共にパターン合成原稿データが含む位置情報を読み取り、校正指示データに対応する位置情報に基づいて、１つまたは複数の校正指示データを集約して原稿データまたは第１原稿データまたは第２原稿データと合成して校正指示合成原稿データを作成してもよい。
このように、校正指示合成原稿データを参照することにより、複数の校正者による複数の校正指示を同時に確認することができる。
【００１７】
また、校正システムは、読取ペンによって校正指示データと共にパターン合成原稿データが含むページ識別情報を読み取ってもよい。
これにより、原稿データのページ識別に係る手間をなくすことができる。
【００１８】
また、校正システムは、所定期間経過後に、第１原稿データの出力や表示を行う出力装置や表示装置の色較正（キャリブレーション）を警告してもよい。
このように、出力装置やモニタ等の表示装置の累積稼働時間を監視することにより、色確認用のデバイス機器の色較正のタイミングを適切に判断することができる。また、色確認用のデバイス機器を監視することによって、安定した色再現を維持することができる。原稿の色校正を常時正確に行うことができる。
【００１９】
また、校正システムは、校正処理を管理する校正管理サーバと１つまたは複数の校正端末装置とを接続して構成し、ＲＩＰ装置、色変換手段、パターンデータ合成手段、記憶手段を、それぞれ、校正管理サーバ側または校正端末装置側のどちらに設けてもよい。
【００２０】
尚、第２複数色は、パターンデータの色を含まないことが望ましい。例えば、第１複数色は、シアン（Ｃ）及びマゼンタ（Ｍ）及びイエロー（Ｙ）及びブラック（Ｋ）の４色であり、第２複数色は、シアン（Ｃ）及びマゼンタ（Ｍ）及びイエロー（Ｙ）の３色であり、パターンデータの色は、ブラック（Ｋ）とすることが望ましい。
【００２１】
第３の発明は、原稿データの校正処理を行う校正方法であって、前記原稿データをＲＩＰ処理して第１複数色の第１原稿データを作成するＲＩＰ処理ステップと、前記第１複数色の第１原稿データを前記第１複数色と異なる第２複数色の第２原稿データに色変換する色変換ステップと、前記第２原稿データに位置情報を含むパターンデータを合成してパターン合成原稿データを作成するパターンデータ合成ステップと、前記第１原稿データと前記パターン合成原稿データとを対応付けて保持する記憶ステップと、前記原稿データまたは前記第１原稿データを色の確認用に出力し、前記パターン合成原稿データを校正指示の記入用に出力する出力ステップと、前記パターン合成原稿データの出力物に記入された校正指示に関する情報である校正指示データを読み取る読取ステップと、を具備することを特徴とする校正方法である。
【００２２】
第４の発明は、原稿データの校正処理を行う校正方法であって、前記原稿データをＲＩＰ処理して第１複数色の第１原稿データを作成するＲＩＰ処理ステップと、前記第１複数色の第１原稿データを前記第１複数色と異なる第２複数色の第２原稿データに色変換する色変換ステップと、前記第２原稿データに位置情報を含むパターンデータを合成してパターン合成原稿データを作成するパターンデータ合成ステップと、前記第１原稿データと前記パターン合成原稿データとを対応付けて保持する記憶ステップと、前記原稿データまたは前記第１原稿データを色の確認用に表示する表示ステップと、前記パターン合成原稿データを校正指示の記入用に出力する出力ステップと、前記パターン合成原稿データの出力物に記入された校正指示に関する情報である校正指示データを読み取る読取ステップと、を具備することを特徴とする校正方法である。
【００２３】
第３の発明及び第４の発明は、原稿データの校正処理を行う校正方法に関する発明である。
【００２４】
第５の発明は、コンピュータを第１の発明または第２の発明の校正システムとして機能させるプログラムである。
第６の発明は、コンピュータを第１の発明または第２の発明の校正システムとして機能させるプログラムを記録したコンピュータ読取可能な記録媒体である。
尚、上記のプログラムをＣＤ−ＲＯＭ等の記録媒体に保持させて流通させてもよいし、このプログラムを通信回線を介して送受することもできる。
【発明の効果】
【００２５】
本発明によれば、文字校正や体裁校正だけでなく色校正についても校正作業を正確かつ効率的に行うことを可能とする校正システムを提供することができる。
【発明を実施するための最良の形態】
【００２６】
以下、添付図面を参照しながら、本発明の実施の形態に係る校正システムの好適な実施形態について詳細に説明する。なお、以下の説明及び添付図面において、略同一の機能構成を有する構成要素については、同一の符号を付することにより重複説明を省略することにする。
【００２７】
（１．校正システム１の構成）
最初に、図１を参照しながら、本発明の第１実施形態に係る校正システム１の構成について説明する。
図１は、校正システム１の構成図である。
【００２８】
校正システム１は、印刷会社側に設けられる校正管理サーバ３と顧客側に設けられる少なくとも１つの校正端末装置１１とがネットワーク１７を介して接続されて構成される。校正管理サーバ３には記憶部５及びＲＩＰ装置９及び確認修正端末装置７が接続される。確認修正端末装置７には確認修正者１０が参照するモニタ８が接続される。校正端末装置１１には校正者２０が操作する光学読取ペン１５及び出力装置１３が接続される。
【００２９】
記憶部５は、ページデータ３１とパターンデータ３４とパターン合成原稿データ３５と４色原稿データ３２と校正指示合成原稿データ３８とを保持する。パターン合成原稿データ３５と４色原稿データ３２とは、対応テーブル３９によって対応付けられる。
【００３０】
ページデータ３１は、ページ記述言語で記述された原稿データである。ページデータ３１は、例えば、印刷会社に顧客が持ち込む出版原稿や広告原稿等の原稿である。ページデータ３１は、最終的な印刷物となる原稿イメージの他、ページ番号等のページ識別情報やトンボ等の位置合わせ情報を含む。
パターンデータ３４は、ページ識別情報や位置情報を含むデータである。パターンデータ３４は、例えば、ページ記述言語で記述されたドットパターンデータである。
ネットワーク１７は、インターネットやＬＡＮ（Ｌｏｃａｌ  Ａｒｅａ  Ｎｅｔｗｏｒｋ）等のネットワークであり、有線あるいは無線を問わない。
【００３１】
ＲＩＰ装置９は、ページ記述言語で記述されたページデータをラスタデータに変換するラスタイメージプロセッサである。ＲＩＰ装置９は、ページデータ３１をシアン（Ｃ）及びマゼンタ（Ｍ）及びイエロー（Ｙ）及びブラック（Ｋ）の４色原稿データ３２に変換する。ＲＩＰ装置９は、例えば、ＰｏｓｔＳｃｒｉｐｔ等のページ記述言語用のインタプリタをＲＯＭ等の記憶装置、ビットマップデータへの変換に使用するＲＡＭ等の記憶装置、フォント等のアウトラインデータが格納されたハードディスク装置等の記憶装置、ページ記述言語用インタプリタを実行するためのＣＰＵからなるラスタイメージ変換用のコンピュータシステムである。
【００３２】
校正管理サーバ３は、ＣＭＹＫ−ＣＭＹ変換部２１とパターンデータ合成部２２と送受信部２３と校正指示データ合成部２４とを備える。
ＣＭＹＫ−ＣＭＹ変換部２１は、ＣＭＹＫ４色の４色原稿データ３２をＣＭＹ３色の３色原稿データ３３に色変換する。ＣＭＹＫ−ＣＭＹ変換部２１は、ブラック（Ｋ）の成分を適切にシアン（Ｃ）及びマゼンタ（Ｍ）及びイエロー（Ｙ）の成分に加算し、４色原稿データ３２と同様の発色を示す３色原稿データ３３を作成する。ＣＭＹＫ−ＣＭＹ変換部２１は、例えば、ＣＭＹＫ−ＲＧＢ変換やＣＭＹＫ−逆ＵＣＲ変換を使用する。
パターンデータ合成部２２は、３色原稿データ３３にページ識別情報及び位置情報を含むパターンデータ３４を合成してパターン合成原稿データ３５を作成する。尚、パターン合成原稿データ３５と４色原稿データ３２とは対応テーブル３９よって対応付けられて記憶部５に保持される。
【００３３】
送受信部２３は、校正管理サーバ３と記憶部５あるいは校正端末装置１１との間のデータ送受信処理を行う。送受信手段は、特に限定されず、例えば、ＨＴＴＰ（Ｈｙｐｅｒ  Ｔｅｘｔ  Ｔｒａｎｓｆｅｒ  Ｐｒｏｔｏｃｏｌ）やＳＭＴＰ（Ｓｉｍｐｌｅ  Ｍａｉｌ  Ｔｒａｎｓｆｅｒ  Ｐｒｏｔｏｃｏｌ）やＦＴＰ（Ｆｉｌｅ  Ｔｒａｎｓｆｅｒ  Ｐｒｏｔｏｃｏｌ）等のプロトコルによる通信手段を用いることができる。
校正指示データ合成部２４は、複数の校正端末装置１１から送られる複数の校正指示データ３７を集約して、ページデータ３１または４色原稿データ３２または３色原稿データ３３と合成して校正指示合成原稿データ３８を作成する。
【００３４】
校正端末装置１１は、顧客側の校正者２０に属する端末装置である。校正端末装置１１は、校正管理サーバ３からパターン合成原稿データ３５及び４色原稿データ３２を受信すると、出力装置１３から紙媒体のパターン合成原稿４１及び４色原稿４２を出力する。顧客側の校正者２０は、４色原稿４２を参照して色確認を行い、光学読取ペン１５を用いてパターン合成原稿４１に色校正に関する校正指示３６を記入する。校正端末装置１１は、光学読取ペン１５から校正指示３６の位置情報を取得すると共に校正指示データ３７を校正管理サーバ３に送信する。
【００３５】
確認修正端末装置７は、印刷会社側の確認修正者１０に属する端末装置である。確認修正端末装置７は、校正指示合成原稿データ３８の確認処理及びページデータ３１の修正処理を行う端末装置である。印刷会社の確認修正者１０は、確認修正端末装置７を操作して、モニタ８に校正指示合成原稿データ３８の画像を表示させて校正指示３６を把握する。印刷会社の確認修正者１０は、確認修正端末装置７を操作して、校正指示３６を反映してページデータ３１を修正する。
【００３６】
（２．ハードウェア構成）
次に、図２を参照しながら、校正管理サーバ３、ＲＩＰ装置９、確認修正端末装置７、校正端末装置１１のハードウェア構成について説明する。
図２は、校正管理サーバ３、ＲＩＰ装置９、確認修正端末装置７、校正端末装置１１として機能する情報処理装置１００のハードウェア構成図である。
尚、図２のハードウェア構成は一例であり、用途、目的に応じて様々な構成を採ることが可能である。
【００３７】
情報処理装置１００は、ＣＰＵ１０１、メモリ１０２、記憶部１０３、表示部１０４、入力部１０５、出力部１０６、通信部１０７等がシステムバス１０８を介して接続されて構成される。
【００３８】
ＣＰＵ１０１（Ｃｅｎｔｒａｌ  Ｐｒｏｃｅｓｓｉｎｇ  Ｕｎｉｔ）は、ハードディスク、ＲＯＭ、記録媒体等に格納される実行プログラム、ＯＳ（オペレーションシステム）のプログラム、アプリケーションプログラム等をメモリ１０２のＲＡＭ上のワークメモリ領域に呼び出して実行し、演算処理（四則演算や比較演算等）、ハードウェアやソフトウェアの動作制御等を行い、後述する各種機能を実現する。
【００３９】
メモリ１０２は、ＲＡＭ及びＲＯＭ等のメモリである。ＲＡＭ（Ｒａｎｄｏｍ  Ａｃｃｅｓｓ  Ｍｅｍｏｒｙ）は、ＲＯＭ（Ｒｅａｄ  Ｏｎｌｙ  Ｍｅｍｏｒｙ）や記憶部１０３から読み出されたＯＳ（Ｏｐｅｒａｔｉｏｎ  Ｓｙｓｔｅｍ）のプログラム、アプリケーションプログラム等を記憶する。ＲＡＭは、ＣＰＵ１０１の主メモリ、ワークエリア等として機能する。
【００４０】
記憶部１０３は、各種データを記憶する装置であり、例えば、ハードディスクである。記憶部１０３は、ＣＰＵ１０１が実行するプログラム、プログラム実行に必要なデータ、ＯＳ、各種データベース等が格納される。
【００４１】
表示部１０４は、ＣＲＴモニタ、液晶パネル等のディスプレイ装置、ディスプレイ装置と連携してコンピュータのビデオ機能を実現するための論理回路等（ビデオアダプタ等）を有する。
【００４２】
入力部１０５は、各種データの入力装置であり、例えば、キーボード、マウスである。出力部１０６は、各種データの出力装置であり、例えば、プリンタである。各種メディアとのデータ入出力を行うドライブ装置を入力部１０５及び出力部１０６として用いることもできる。
【００４３】
通信部１０７は、ネットワーク１１を介して外部装置と接続・通信する通信制御装置である。例えば、ＴＣＰ／ＩＰを用いたインターネット通信が可能である。
【００４４】
システムバス１０８は、情報処理装置１００内の各装置間の制御信号、データ信号等の授受を媒介する経路であり、例えば、ＰＣＩ（Ｐｅｒｉｐｈｅｒａｌ  Ｃｏｍｐｏｎｅｎｔ  Ｉｎｔｅｒｃｏｎｎｅｃｔ）バス、ＡＧＰ（Ａｃｃｅｌｅｒａｔｅｄ  Ｇｒａｐｈｉｃｓ  Ｐｏｒｔ）バス、メモリバスである。
【００４５】
校正管理サーバ３、ＲＩＰ装置９、確認修正端末装置７、校正端末装置１１は、それぞれ、記憶部１０３に格納するプログラム（実行プログラム、ＯＳのプログラム等）をメモリ１０２上にロードしてＣＰＵ１０１の制御の下に各種処理を実行する。
【００４６】
（３．校正システム１の動作）
次に、図３〜図９を参照しながら、校正システム１の動作について説明する。
【００４７】
（３−１．校正システムの全体動作）
図３〜図５は、校正システム１の全体動作を示すフローチャートである。
図３及び図５は、校正管理サーバ３側の処理を示すフローチャートである。
図４は、校正端末装置１１側の処理を示すフローチャートである。
【００４８】
ＲＩＰ装置９は、ページデータ３１から４色原稿データ３２を作成して校正管理サーバ３に送る（Ｓ１００１）。
校正管理サーバ３は、ＣＭＹＫ−ＣＭＹ変換部２１によって、４色原稿データ３２を３色原稿データ３３に変換する（Ｓ１００２）。
校正管理サーバ３は、パターン合成部２２によって、ページ識別情報及び位置情報を含むパターンデータ３４と３色原稿データ３３とを合成してパターン合成原稿データ３５を作成する（Ｓ１００３）。校正管理サーバ３は、４色原稿データ３２とパターン合成原稿データ３５とを対応テーブル３９によって対応付けて記憶部５に保持する（Ｓ１００４）。
校正管理サーバ３は、送受信部２３によって、４色原稿データ３２と、この４色原稿データ３２に対応するパターン合成原稿データ３５とを校正端末装置１１に送信する（Ｓ１００５）。
【００４９】
校正端末装置１１は、パターン合成原稿データ３５に基づいて出力装置１３から紙媒体のパターン合成原稿４１を出力する（Ｓ２００１）。
校正端末装置１１は、４色原稿データ３２に基づいて出力装置１３から紙媒体の４色原稿４２を出力する（Ｓ２００２）。
顧客側の校正者２０は、４色原稿４２を参照して色確認を行う（Ｓ２００３）。顧客側の校正者２０は、光学読取ペン１５を用いてパターン合成原稿４１に色校正に関する校正指示３６を書き込む（Ｓ２００４）。光学読取ペン１５は、校正指示３６に関する情報である校正指示データ３７を読み取って校正端末装置１１に送る（Ｓ２００５）。尚、光学読取ペン１５及び校正指示データ３７の詳細については、後述する。
校正端末装置１１は、ネットワーク１７を介して校正指示データ３７を校正管理サーバ３に送る（Ｓ２００６）。
【００５０】
校正管理サーバ３は、複数の校正端末装置１１から複数の校正指示データ３７を受信する（Ｓ３００１）。
校正管理サーバ３は、校正指示データ合成部２４によって、複数の校正端末装置１１から送られる複数の校正指示データ３７を集約し、ページデータ３１または４色原稿データ３２または３色原稿データ３３と合成して校正指示合成原稿データ３８を作成する（Ｓ３００２）。
校正管理サーバ３は、校正指示合成原稿データ３８を確認修正端末装置７に送る（Ｓ３００３）。
確認修正端末装置７は、モニタ８に校正指示合成原稿データ３８の画像を表示する（Ｓ３００４）。印刷会社側の確認修正者１０は、モニタ８に表示される校正指示合成原稿データ３８の画像を参照し、校正指示データ３７の内容を確認する。確認修正端末装置７は、印刷会社の確認修正者１０の操作指示に基づいて、ページデータ３１を修正する（Ｓ３００５）。確認修正端末装置７は、修正したページデータ３１をＲＩＰ装置９に送る（Ｓ３００６）。
印刷会社側と顧客側との間の校正作業が完了するまで、図３のＳ１００１〜図５のＳ３００６までの処理を繰り返す。
【００５１】
（３−２．パターン合成原稿データ３５）
図６は、パターン合成原稿データ３５の一態様を示す図である。
パターンデータ３４は、ブラック（Ｋ）の１色のデータである。パターンデータ３４は、ドットパターン５１が原稿データ全面に配置されて構成される。ドットパターン５１は、ページデータ３１のページ識別情報や原稿上の位置情報が符号化された多数のドット５２を含む。
３色原稿データ３３は、シアン（Ｃ）、マゼンタ（Ｍ）、イエロー（Ｙ）の３色のデータである。
パターン合成原稿データ３５は、パターンデータ３４と３色原稿データ３３とが合成されて作成される（図３のＳ１００３）。パターン合成原稿データ３５の全面には、ドットパターン５１が配置される。ドットパターン５１は、例えば、２ｍｍ角に６×６個程度の細かいドット５２が配置される。パターン合成原稿データ３５を出力して得られるパターン合成原稿４１は、全体として多少グレー色を帯びるが、校正指示を記入するための校正用原稿として十分に使用することができる。
【００５２】
（３−３．校正指示３６の記入）
図７は、パターン合成原稿４１への校正指示３６の記入を示す図である。
パターン合成原稿４１には、校正指示３６が記入される。顧客側の校正者２０は、４色原稿４２を参照して原稿の色を確認し、色校正に関する校正指示３６を光学読取ペン１５を用いてパターン合成原稿４１に記入する（図４のＳ２００４）。
【００５３】
図７の校正指示３６は、校正指示３６−１及び校正指示３６−２及び校正指示３６−３である。校正指示３６−１は文字校正の指示であり、「「このところ」という文字を削除（トルツメ）する。」旨の指示である。校正指示３６−２は体裁校正の指示であり、「「特集」から始まる行を１文字分下げる。」旨の校正記号による指示である。校正指示３６−３は色校正の指示であり、原稿における色彩に関する校正指示である。校正指示３６−３は、例えば、「赤味強すぎ。マゼンタマイナス。」である。
【００５４】
（３−４．光学読取ペン１５）
図８は、光学読取ペン１５による校正指示の説明図である。
光学読取ペン１５は、通常のボールペン等の筆記機能を持つと共に、ＣＣＤセンサ６１、プロセッサ６２、メモリ６３、バッテリ６４等を有する。ＣＣＤセンサ６１に代えて赤外線センサを用いることもできる。光学読取ペン１５としては、例えば、アノト社の「アノトデジタルペン」を用いることができる。
【００５５】
光学読取ペン１５のＣＣＤセンサ６１は、パターン合成原稿４１に校正指示３６が記入されると、光学読取ペン１５とパターン合成原稿４１とが接触する読取部分６５の画像を読み取る。ＣＣＤセンサ６１は、シアン（Ｃ）、マゼンタ（Ｍ）、イエロー（Ｙ）の３色で出力された原稿の図柄や校正指示３６と共に、ブラック（Ｋ）の色で出力されたドットパターン５１を読み取る。ドットパターン５１は、ページデータ３１のページ識別情報及び原稿上の位置情報を示すドット５２を含む。
光学読取ペン１５のプロセッサ６２は、読み取られたドットパターン５１に対して復号化処理を行ってページ識別情報と原稿上の位置情報とを取得し、校正指示データ３７としてメモリ６３に格納する。
【００５６】
（３−５．校正指示データ３７）
図９は、光学読取ペン１５のメモリ６３に格納される校正指示データ３７の一態様を示す図である。
校正指示データ３７は、ページ識別情報７１と校正情報７２とを有する。ページ識別情報７１は、ページデータ３１を識別するための情報であり、各ページデータ３１に重畳されたドットパターン５１の種類を示す情報である。校正情報７２は、校正指示７３−１、校正指示７３−２、校正指示７３−３、…を有する。各校正指示７３は、顧客側の校正者２０が記入した校正指示３６の位置情報を含む。校正指示３６の位置情報として、ストロークの座標データの時系列サンプル（座標データ７５−１、座標データ７５−２、座標データ７５−３、…）が記録される。
【００５７】
顧客側の校正者２０が光学読取ペン１５を校正端末装置１１のペン立てに戻すと、光学読取ペン１５は、メモリ６３に格納された校正指示データ３７をＵＳＢ（Ｕｎｉｖｅｒｓａｌ  Ｓｙｓｔｅｍ  Ｂｕｓ）あるいはＢｌｕｅｔｏｏｔｈ経由で校正端末装置１１に送る（Ｓ２００５）。校正端末装置１１は、ネットワーク１７を介して、校正指示データ３７を校正管理サーバ３に送信する（図４のＳ２００６）。
【００５８】
（３−６．校正システム１の動作のまとめ）
以上の過程を経て、校正管理サーバ３は、４色原稿データ３２を３色原稿データ３３に変換し、ページ識別情報及び位置情報を有するパターンデータ３４と３色原稿データ３３とを合成してパターン合成原稿データ３５を作成し、４色原稿データ３２とパターン合成原稿データ３５とを対応テーブル３９によって対応付けて記憶部５に保持する。
校正端末装置１１は、パターン合成原稿データ３５及び４色原稿データ３２に基づいて、出力装置１３から紙媒体のパターン合成原稿４１及び紙媒体の４色原稿４２を出力する。
顧客側の校正者２０は、４色原稿４２を参照して色確認を行い、校正端末装置１１に付属の光学読取ペン１５を用いてパターン合成原稿４１に色校正に関する校正指示３６を書き込む。
校正管理サーバ３は、複数の校正端末装置１１から送られる複数の校正指示データ３７を集約し、ページデータ３１または４色原稿データ３２または３色原稿データ３３とを合成して校正指示合成原稿データ３８を作成する。
印刷会社側の確認修正者１０は、校正指示合成原稿データ３８の画像を参照し、確認修正端末装置７によってページデータ３１を修正する。
【００５９】
このように、第１の実施形態の校正システム１では、４色原稿データ３２とパターン合成原稿データ３５とを対応付けて保持し、紙媒体の４色原稿４２を参照して色確認を行い、パターン合成原稿４１に色校正に関する校正指示を記入する。
従って、光学読取ペン１５による校正システムにおいて、文字校正や体裁校正だけでなく、原稿の色彩が忠実に再現される４色原稿４２に基づいて正確に色確認を行って色校正を行うことができる。
【００６０】
尚、パターン合成原稿４１出力用の出力装置と４色原稿４２出力用の出力装置とを同一の出力装置により構成してもよいし、それぞれ独立した出力装置により構成してもよい。また、４色原稿４２において目標の色を再現するために、出力装置１３から４色原稿４２を出力する前に、４色原稿データ３２の色変換を行う必要がある。色変換にはＩＣＣ（Ｉｎｔｅｒｎａｔｉｏｎａｌ  Ｃｏｌｏｒ  Ｃｏｎｓｏｒｔｉｕｍ）プロファイル等のＬＵＴ（Ｌｏｏｋ  Ｕｐ  Ｔａｂｌｅ）テーブルを利用する。出力装置１３のプリントサーバ（出力ソフトウェア）にカラーマネジメント機能が搭載されている場合には、その機能でＩＣＣプロファイル等のＬＵＴテーブルを用いて、目標の色を再現する。尚、カラーマネジメント機能が搭載されていない出力装置（出力ソフトウェアを含む）については、事前に４色原稿データ３２に対して目標色への色変換を実施しておく。
【００６１】
（４．第２の実施形態）
次に、図１０及び図１１を参照しながら第２の実施形態について説明する。
図１０は、校正システム１ａの構成図である。
図１１は、校正端末装置１１側の処理を示すフローチャートである。
【００６２】
第１の実施形態の校正システム１では、校正端末装置１１には、校正者２０が操作する光学読取ペン１５及び出力装置１３が接続されるものとして説明したが、第２の実施形態お校正システム１ａでは、校正端末装置１１には、校正者２０が操作する光学読取ペン１５及び出力装置１３に加えてモニタ１４が接続される。
【００６３】
第１の実施形態の校正システム１における図３及び図５に示す処理は、第２の実施形態の校正システム１ａにおいても同様の処理であるので、説明を省略する。
【００６４】
校正端末装置１１は、パターン合成原稿データ３５に基づいて出力装置１３から紙媒体のパターン合成原稿４１を出力する（Ｓ２００１）。
校正端末装置１１は、モニタ１４に４色原稿データ３２の画像を表示する（Ｓ２００２ａ）。
顧客側の校正者２０は、モニタ１４に表示される４色原稿データ３２の画像を参照して色確認を行う（Ｓ２００３ａ）。顧客側の校正者２０は、光学読取ペン１５を用いてパターン合成原稿４１に色校正に関する校正指示３６を書き込む（Ｓ２００４）。光学読取ペン１５は、校正指示データ３７を校正端末装置１１に送る（Ｓ２００５）。
校正端末装置１１は、ネットワーク１７を介して校正指示データ３７を校正管理サーバ３に送る（Ｓ２００６）。
尚、Ｓ２００１及びＳ２００４〜Ｓ２００６の処理は、第１の実施形態の校正システム１における処理と同様である。
【００６５】
このように、第２の実施形態の校正システム１では、４色原稿データ３２とパターン合成原稿データ３５とを対応付けて保持し、モニタ１４に表示される４色原稿データ３２の画像を参照して色確認を行って、パターン合成原稿４１に色校正に関する校正指示を記入する。
従って、光学読取ペン１５による校正システムにおいて、文字校正や体裁校正だけでなく原稿の色彩が忠実に再現される４色原稿データ３２の画像に基づいて正確に色確認を行って色校正を行うことができる。
【００６６】
尚、モニタ１４に表示される４色原稿データ３２の画像を参照して色確認を行う場合には、モニタ較正処理（モニタキャリブレーション）を行う必要がある。一般にモニタ上に印刷物の色をシミュレーションする際、較正処理条件は、白色点（色温度）Ｄ５０、輝度８０〜１２０ｃｄ／ｍ２、ガンマ値１．８、に合わせることが望ましいとされるが、精度の高い較正処理が行われていればその条件に特に指定はない。このように任意条件で作成されたＩＣＣプロファイル等のＬＵＴテーブルをモニタ調整用のプロファイルとして割り当て、これを色校正用モニタとして利用する。
【００６７】
実際にモニタ色校正を実施する場合は、目標色を画面上でシミュレーションするためのアプリケーションが必要となる。例えば、シミュレーション機能を搭載しＩＣＣプロファイルを取り扱い可能なアプリケーションによって４色原稿データ３２を画面表示することができる。具体的な表示方法としては、目標色が記述されているＩＣＣプロファイルを予め４色原稿データ３２に埋め込んでおくか、もしくは、アプリケーション内に目標色のＩＣＣプロファイルを割り当て、色校正用モニタで表示することで実現できる。尚、ファイルフォーマットに関しては、データ容量が軽く、遠隔校正システムに適しているＰＤＦ形式が望ましいが、カラーマネジメント表示が可能なアプリケーションに対応していれば、ファイルフォーマットは限定されない。
【００６８】
上記２つのどちらの色校正方法においても、色校正用途で利用する４色原稿４２は、飽くまで色の確認としての役割のみを持つものとし、色校正を含めた校正指示については、光学読取ペン１５によってパターン合成原稿４１に記入する。記入された校正指示データ３７（赤字データ）は、再度校正管理サーバ３側に送信され、ページデータ３１等と合成されて記憶部５（データベース）に登録される。以上の過程を経て、遠隔色校正作業に必要な、原稿データ転送〜赤字入れ〜赤字戻しの一連の作業が完了する。
【００６９】
（５．第３の実施形態）
次に、図１２を参照しながら第３の実施形態について説明する。
図１２は、校正システム１ｂの構成図である。
【００７０】
第１の実施形態の校正システム１では、ＲＩＰ装置９及びＣＭＹＫ−ＣＭＹ変換部２１及びパターンデータ合成部２２及び送受信部２３及び校正指示データ合成部２４や、パターンデータ３４及びパターン合成原稿データ３５及び４色原稿データ３２及び校正指示合成原稿データ３８等を保持する記憶部５は、印刷会社の校正管理サーバ３側に設けられるものとして説明したが、これらの全てあるいは一部を顧客の校正端末装置１１側に設けるようにしてもよい。
第３の実施形態の校正システム１ｂでは、校正端末装置１１ｂ側にＲＩＰ装置９ｂ及びＣＭＹＫ−ＣＭＹ変換部２１ｂ及びパターン合成部２２ｂが設けられる。
【００７１】
第３の実施形態の校正システム１ｂでは、第１の実施形態の校正システム１と同様に、文字校正や体裁校正だけでなく、原稿の色彩が忠実に再現される４色原稿４２に基づいて正確に色確認を行って色校正を行うことができる。また、顧客の校正端末装置１１側に校正管理機能の一部を設けることにより、印刷会社のサーバ３の校正管理機能に係る処理負担を軽減することができる。
【００７２】
（６．第４の実施形態）
次に、図１３を参照しながら第４の実施形態について説明する。
図１３は、校正システム１ｃの構成図である。
【００７３】
第２の実施形態の校正システム１ａでは、ＲＩＰ装置９及びＣＭＹＫ−ＣＭＹ変換部２１及びパターンデータ合成部２２及び送受信部２３及び校正指示データ合成部２４や、パターンデータ３４及びパターン合成原稿データ３５及び４色原稿データ３２及び校正指示合成原稿データ３８等を保持する記憶部５は、印刷会社の校正管理サーバ３側に設けられるものとして説明したが、これらの全てあるいは一部を顧客の校正端末装置１１側に設けるようにしてもよい。
第４の実施形態の校正システム１ｃでは、校正端末装置１１ｃ側にＲＩＰ装置９ｃ及びＣＭＹＫ−ＣＭＹ変換部２１ｃ及びパターン合成部２２ｃが設けられる。
【００７４】
第４の実施形態の校正システム１ｃでは、第２の実施形態の校正システム１ａと同様に、文字校正や体裁校正だけでなく、原稿の色彩が忠実に再現される４色原稿データ３２の画像に基づいて正確に色確認を行って色校正を行うことができる。また、顧客の校正端末装置１１側に校正管理機能の一部を設けることにより、印刷会社のサーバ３の校正管理機能に係る処理負担を軽減することができる。
【００７５】
（７．デバイス機器の色管理）
次に、図１４を参照しながら、色校正に用いる出力装置１３あるいはモニタ１４等のデバイス機器の色管理について説明する。
図１４は、出力装置１３及びモニタ１４の色管理処理を示すフローチャートである。
【００７６】
出力装置１３及びモニタ１４の電源が投入される（Ｓ４００１）。校正管理サーバ３は、出力装置１３及びモニタ１４の電源投入時間を計測する（Ｓ４００２）。校正管理サーバ３は、電源投入時間の累積値が基準値を超えた場合には（Ｓ４００３のＹＥＳ）、校正者２０に警告を行って出力装置１３及びモニタ１４の較正を促す（Ｓ４００４）。校正処理を継続する場合には（Ｓ４００５のＮＯ）、Ｓ４００２からの処理を繰り返す。校正処理が終了すると（Ｓ４００５のＹＥＳ）、出力装置１３及びモニタ１４の電源が切られる（Ｓ４００６）。
【００７７】
このように、校正管理サーバ３が出力装置１３及びモニタ１４の累積稼働時間を監視することにより、出力装置１３及びモニタ１４の色較正のタイミングを適切に判断することができる。また、校正管理サーバ３上で色確認用のデバイス機器を監視することによって、安定した色再現を維持することができる。原稿の色校正を常時正確に行うことができる。
【００７８】
尚、色校正用の各デバイス機器の色再現を維持するためには、較正処理（キャリブレーション）を適度に実施する必要がある。しかし、各デバイス機器の較正処理の頻度は各デバイス機器によって当然異なる。
モニタ１４については、電源投入時間に依存するが、約１ヶ月に１回程度較正処理を実施すればよい。従って、本発明の校正システム１では、顧客側の校正端末装置１１で作成されたモニタプロファイルを常に監視し、その作成履歴情報（モニタプロファイル作成日時）に基づいて、較正処理を促す警告表示をするようにしてもよい。
出力装置１３については、使用される用紙の材質や厚み、用紙印刷面のざらつき、出力装置１３を取り巻く温度や湿度の影響を受けて微妙な色合いが変化する。さらに、出力装置のインクやトナーあるいは感光体等に代表される消耗品の経時変化も色の変化に影響を与えるので、較正処理のタイミングは不特定である。出力装置１３の較正処理に関しては、出力装置１３の経時変化を見極め、一次元トーン補正やＬＵＴ（Ｌｏｏｋ  Ｕｐ  Ｔａｂｌｅ）補正等を行ってもよい。
【００７９】
（８．データ形式変換処理のタイミング）
次に、図１５及び図１６を参照しながら、ページ記述言語データからラスタデータへのデータ形式変換処理のタイミングについて説明する。
ページ記述言語のデータは、例えば、ＰＳ（Ｐｏｓｔ  Ｓｃｒｉｐｔ）形式やＰＤＦ形式のデータである。ラスタデータは、例えば、ＴＩＦＦ（Ｔａｇｇｅｄ  Ｉｍａｇｅ  Ｆｉｌｅ  Ｆｏｒｍａｔ）形式やＢｉｔｍａｐ形式のデータである。ページ記述言語データからラスタデータへの変換処理のタイミングは、合成処理の前後を問わない。
【００８０】
（８−１．パターン合成原稿データ３５）
図１５は、パターン合成原稿データ３５に係るデータ形式変換のタイミングの説明図である。
パターンデータ３４は、ページ記述言語のデータである。３色原稿データ３３は、ラスタデータである。
ページ記述言語データからラスタデータへの変換は、例えば、時点８１あるいは時点８２あるいは時点８３において行うことができる。
【００８１】
時点８１は、パターンデータ３４と３色原稿データ３３との合成処理前の時点である。時点８１においてデータ形式変換処理が行われる場合、予めページ記述言語データのパターンデータ３４をラスタデータに変換してから、３色原稿データ３３との合成処理が行われる。
時点８２は、パターン合成原稿データ３５を校正端末装置１１に送信する前の時点である。時点８３は、パターン合成原稿データ３５の出力前の時点である。時点８２あるいは時点８３においてデータ形式変換処理が行われる場合、Ｓ１００３の合成処理時には、ページ記述言語データのパターンデータ３４とラスタデータの３色原稿データ３３とが合成される。尚、ページ記述言語データにラスタデータが内包される形で合成処理が行われる。例えば、ページ記述言語データ内にラスタデータの参照先が記述される。その後、時点８２あるいは時点８３においてパターン合成原稿データ３５がラスタデータに変換される。
【００８２】
このように、ページ記述言語データからラスタデータへの変換処理のタイミングは、Ｓ１００３の合成処理の前後を問わず、任意のタイミングで行うことができる。
【００８３】
（８−２．校正指示合成原稿データ３８）
図１６は、校正指示合成原稿データ３８に係るデータ形式変換のタイミングの説明図である。
ページデータ３１は、ページ記述言語のデータである。校正指示データ３７は、ラスタデータである。
ページ記述言語データからラスタデータへの変換は、例えば、時点８４あるいは時点８５あるいは時点８６において行うことができる。
【００８４】
時点８４は、ページデータ３１と校正指示データ３７との合成処理前の時点である。時点８４においてデータ形式変換処理が行われる場合、予めページ記述言語データのページデータ３１をラスタデータに変換してから、校正指示データ３７との合成処理が行われる。
時点８５は、校正指示合成原稿データ３８を確認修正端末装置７に送信する前の時点である。時点８６は、校正指示合成原稿データ３８の表示前の時点である。時点８５あるいは時点８６においてデータ形式変換処理が行われる場合、Ｓ３００２の合成処理時には、ページ記述言語データのページデータ３１とラスタデータの校正指示合成原稿データ３８とが合成される。尚、ページ記述言語データにラスタデータが内包される形で合成処理が行われる。例えば、ページ記述言語データ内にラスタデータの参照先が記述される。その後、時点８５あるいは時点８６において校正指示合成原稿データ３８がラスタデータに変換される。
【００８５】
このように、ページ記述言語データからラスタデータへの変換処理のタイミングは、Ｓ３００２の合成処理の前後を問わず、任意のタイミングで行うことができる。
【００８６】
（９．その他）
フルデジタルモニタ校正における体裁校正及び文字校正は、モニタサイズの都合上、全体表示が不可能であったり、また、小さいオブジェクトの確認については、拡大やスクロール等を駆使して、校正作業を実施しなければならないため、現在の校正スタイルから考慮すると困難な作業といえる。しかし、本発明の校正システムでは、モニタによる校正作業が困難である体裁校正及び文字校正については、紙媒体による校正作業を実施することができ、色校正についてのみモニタで確認する。さらに、色の校正指示についてもモニタで色を確認しながら、体裁校正及び文字校正と同一の紙媒体へ記入するため、フルデジタルモニタ校正よりも実用性が高く扱いが容易である。
【００８７】
以上、添付図面を参照しながら、本発明に係る校正システムの好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８８】
【図１】校正システム１の構成図
【図２】情報処理装置１００のハードウェア構成図
【図３】校正管理サーバ３側の処理を示すフローチャート
【図４】校正端末装置１１側の処理を示すフローチャート
【図５】校正管理サーバ３側の処理を示すフローチャート
【図６】パターン合成原稿データ３５の一態様を示す図
【図７】パターン合成原稿４１への校正指示３６の記入を示す図
【図８】光学読取ペン１５による校正指示の説明図
【図９】光学読取ペン１５のメモリ６３に格納される校正指示データ３７の一態様を示す図
【図１０】校正システム１ａの構成図
【図１１】校正端末装置１１側の処理を示すフローチャート
【図１２】校正システム１ｂの構成図
【図１３】校正システム１ｃの構成図
【図１４】出力装置１３及びモニタ１４の色管理処理を示すフローチャート
【図１５】パターン合成原稿データ３５に係るデータ形式変換のタイミングの説明図
【図１６】校正指示合成原稿データ３８に係るデータ形式変換のタイミングの説明図
【符号の説明】
【００８９】
１、１ａ、１ｂ、１ｃ………校正システム
３………構成管理サーバ
５………記憶部
７………確認修正端末装置
８………モニタ
９、９ｂ、９ｃ………ＲＩＰ装置
１０………印刷会社側の確認修正者
１１、１１ｂ、１１ｃ………校正端末装置
１３………出力装置
１４………モニタ
１５………光学読取ペン
１７………ネットワーク
２０………顧客側の校正者
２１、２１ｂ、２１ｃ………ＣＭＹＫ−ＣＭＹ変換部
２２、２２ｂ、２２ｃ………パターンデータ合成部
２３………送受信部
２４………校正指示データ合成部
３１………ページデータ
３２………４色原稿データ
３３………３色原稿データ
３４………パターンデータ
３５………パターン合成原稿データ
３６、３６−１、３６−２、３６−３………校正指示
３７………校正指示データ
３８………校正指示合成原稿データ
３９………対応テーブル
４１………パターン合成原稿
４２………４色原稿
５１………ドットパターン
５２………ドット
６１………ＣＣＤセンサ
６２………プロセッサ
６３………メモリ
６４………バッテリ
６５………読取部分
７１………ページ識別情報
７２………校正情報
７３−１、７３−２、７３−３………校正指示
７５−１、７５−２、７５−３………座標データ
【図１】
2008258951.tif 000003
【図２】
2008258951.tif 000004
【図３】
2008258951.tif 000005
【図４】
2008258951.tif 000006
【図５】
2008258951.tif 000007
【図６】
2008258951.tif 000008
【図７】
2008258951.tif 000009
【図８】
2008258951.tif 000010
【図９】
2008258951.tif 000011
【図１０】
2008258951.tif 000012
【図１１】
2008258951.tif 000013
【図１２】
2008258951.tif 000014
【図１３】
2008258951.tif 000015
【図１４】
2008258951.tif 000016
【図１５】
2008258951.tif 000017
【図１６】
2008258951.tif 000018